(57)【要約】【課題】袖部を備えた衣服に関し、袖口をまくり上げたり下ろしたりするのが容易で、しかもまくり上げた袖口が簡単にずり落ちることもなく、さらに袖口の形態が変形しない構造の衣服を提供する。【解決手段】着用者から見て袖の前半分を構成する前袖と、後半分を構成する後袖と、袖口ＳＬＭとからなる袖部ＳＬを備えた衣服において、前記袖口の内周上において前記前袖と前記後袖の縫合線上あるいはその近傍の第１の点ＳＬＦＨにゴム紐Ｇの一端を位置させると共に、前記後袖側に位置する前記袖口の内周上の第２の点ＳＬＢＨに前記ゴム紐の他端を位置させるように構成した。【選択図】図３
2013189721.tif 000002
【特許請求の範囲】
【請求項１】
着用者から見て袖の前半分を構成する前袖と、後半分を構成する後袖と、袖口とからなる袖部を備えた衣服において、前記袖口の内周上において前記前袖と前記後袖の縫合線上あるいはその近傍の第１の点にゴム紐の一端を位置させると共に、前記後袖側に位置する前記袖口の内周上の第２の点に前記ゴム紐の他端を位置させたことを特徴とする衣服。
【請求項２】
前記ゴム紐が環状を呈すると共に、前記ゴム紐が挿通可能な挿通部を前記袖口の内周に設け、前記第１の点から第２の点までの間で前記挿通された前記ゴム紐の一部を露出させたことを特徴とする請求項１記載の衣服。
【請求項３】
前記挿通部は、前記袖口の先端を内側に折り返して縫着させた環状空間からなることを特徴とする請求項２記載の衣服。
【請求項４】
前記ゴム紐の一端を前記第１の点で前記袖口の内周に縫着させたことを特徴とする請求項１から３のいずれかに記載の衣服。
【発明の詳細な説明】
【技術分野】
【０００１】
この発明は袖部を備えた衣服に関し、より具体的には袖口をまくり上げたり下ろしたりするのが容易で、しかもまくり上げた袖口が簡単にずり落ちることもなく、袖口の形態も変形しない構造の衣服に関する。
【背景技術】
【０００２】
従来より、長袖や七分袖の衣服においては、着用者の周囲温度に応じて袖口をまくり上げたり下ろしたりすることで体温調整をしたり、洗顔や料理などを行うときに袖口をまくり上げて袖口が濡れないようにしているが、このようないわゆる腕まくりは、例えばワイシャツなどでは、袖口を何度も折り返して肘付近までロールアップする（まくり上げる）方法が一般的であり、また、トレーナーなどのスポーツウェアでは、袖口をそのまま肘付近まで引き上げて、袖口を袖口のゴムなどによって引き上げた位置に保持する方法が一般的である。しかし、袖口を何度も折り返すのは手間であり、また、袖口をそのまま引き上げただけでは袖口がすぐにずり落ちてしまうという不都合があった。
【０００３】
このような問題を解決するものとして、例えば下記の特許文献１に記載された技術を挙げることができる。特許文献１記載の技術は、長袖シャツの両袖の前腕部の内周面にゴム等の弾性体を組み込んだものであり、このように構成することで、引き上げた袖口を弾性体の弾性を利用して保持することができる。
【先行技術文献】
【特許文献】
【０００４】
【特許文献１】特開２００３−１３３１５号公報
【発明の概要】
【発明が解決しようとする課題】
【０００５】
しかしながら、特許文献１記載の技術にあっては、弾性体によって前腕部が常時締め付けられた状態になるため、着用者は着用時に違和感を覚えやすく、また、袖の前腕部が弾性体によって絞られているためデザイン性が損なわれる。
【０００６】
そこで、この発明の目的は上記した課題を解決し、袖口をまくり上げたり下ろしたりするのが容易で、しかもまくり上げた袖口が簡単にずり落ちることもなく、さらに袖口の形態が変形しない構造の衣服を提供することにある。
【課題を解決するための手段】
【０００７】
上記の目的を達成するために請求項１にあっては、着用者から見て袖の前半分を構成する前袖と、後半分を構成する後袖と、袖口とからなる袖部を備えた衣服において、前記袖口の内周上において前記前袖と前記後袖の縫合線上あるいはその近傍の第１の点にゴム紐の一端を位置させると共に、前記後袖側に位置する前記袖口の内周上の第２の点に前記ゴム紐の他端を位置させるように構成した。
【０００８】
請求項２に係る衣服にあっては、前記ゴム紐が環状を呈すると共に、前記ゴム紐が挿通可能な挿通部を前記袖口の内周に設け、前記第１の点から第２の点までの間で前記挿通された前記ゴム紐の一部を露出させるように構成した。
【０００９】
請求項３に係る衣服にあっては、前記挿通部は、前記袖口の先端を内側に折り返して縫着させた環状空間からなるように構成した。
【００１０】
請求項４に係る衣服にあっては、前記ゴム紐の一端を前記第１の点で前記袖口の内周に縫着させるように構成した。
【発明の効果】
【００１１】
請求項１に係る衣服にあっては、袖口の内周上において前袖と後袖の縫合線上あるいはその近傍の第１の点にゴム紐の一端を位置させると共に、後袖側に位置する袖口の内周上の第２の点にゴム紐の他端を位置させるように構成したので、袖口をまくり上げたときに、ゴム紐が着用者の肘頭に係止されて袖口が簡単にずり落ちてしまうことがない。また、袖口を下ろすときはゴム紐を肘頭から外して下ろせば良いため、袖口の上げ下げが簡単に行える。さらに、ゴム紐は袖口全体を絞り込んではいないので袖口にギャザー（しわ）などが発生せず、袖口の形態が変形することもない。
【００１２】
請求項２に係る衣服にあっては、ゴム紐が環状を呈すると共に、ゴム紐が挿通可能な挿通部を袖口の内周に設け、第１の点から第２の点までの間で挿通されたゴム紐の一部を露出させるように構成したので、上記した効果に加え、挿通部によってゴム紐を袖口の内周にしっかり保持できる一方、第１の点から第２の点までの間でゴム紐の一部を露出させることができる。また、ゴム紐は一部が露出されつつ挿通部に挿通されるので、袖口はゴム紐によって締め付けられず、ギャザーが一層発生しにくくなる。
【００１３】
請求項３に係る衣服にあっては、挿通部は、袖口の先端を内側に折り返して縫着させた環状空間からなるように構成したので、上記した効果に加え、袖口の生地を利用して挿通部を構成することができる。
【００１４】
請求項４に係る衣服にあっては、ゴム紐の一端を第１の点で袖口の内周に縫着させるように構成したので、上記した効果に加え、袖口を加工したり縫製する工程を削減することができる。
【図面の簡単な説明】
【００１５】
【図１】この発明の第１実施例に係る衣服の正面図である。
【図２】図１に示す衣服の背面図である。
【図３】図１に示す衣服の左袖口を正面やや上方から見た斜視図および左袖口を裏返して見た斜視図である。
【図４】図１に示す衣服の左前身頃、右前身頃および後身頃等の裁断形状（生地片）を表側から見た平面図である。
【図５】図１に示す衣服の袖の裁断形状を表側から見た平面図である。
【図６】図１に示す衣服の袖口に取り付けられるゴム紐の切断状態を示す説明図である。
【図７】この発明の第２実施例に係る衣服の袖口を正面やや上方から見た斜視図および袖口を裏返して見た斜視図である。
【図８】図７に示す袖口を有する袖の裁断形状を表側から見た平面図である。
【発明を実施するための形態】
【００１６】
以下、添付図面に即してこの発明に係る衣服を実施するための形態について説明する。
【実施例１】
【００１７】
図１はこの発明の第１実施例に係る衣服の正面図であり、図２は図１に示す衣服の背面図である。また、図３は図１に示す衣服の左袖口を正面やや上方から見た斜視図（図３−１）および左袖口を裏返して見た斜視図（図３−２）である。
【００１８】
尚、この明細書において、「上下」、「左右」または「前後」などの記載は、着用者にとっての上下、左右または前後方向を意味し、「表」とは着用された衣服において露出される部分または人体に接触しない部分を、「裏」とは被覆される部分または人体に接触する部分を意味する。また、「まくり上げる」との記載は、袖口を何度も折り返してまき上げる場合だけでなく、袖口をまかずにそのまま引き上げる場合も含むことを意味する。
【００１９】
図１から図３において、符号Ｓは衣服を示す。衣服Ｓは長袖の前開きシャツであり、衣服Ｓの左前面を構成する左前身頃ＦＬと、右前面を構成する右前身頃ＦＲと、背面を構成する後身頃Ｂと、左袖口ＳＬＭを有する左袖ＳＬと、右袖口ＳＲＭを有する右袖ＳＲとからなる。
【００２０】
左前身頃ＦＬには、着用者の中心側に位置する端縁に、襟ぐりの一部と前開き部を構成し、複数個の釦穴が穿設される左前立てＭＬが縫着され、右前身頃ＦＲには、襟ぐりの一部と前開き部を構成し、複数個の釦が取り付けられる右前立てＭＲが縫着される。また、後身頃Ｂには、襟ぐりの一部を構成する後首当てＮＢが縫着される。
【００２１】
図４は衣服Ｓの左前身頃ＦＬ、右前身頃ＦＲ、後身頃Ｂ、左前立てＭＬ、右前立てＭＲおよび後首当てＮＢの裁断形状（生地片）を表側から見た平面図である。
【００２２】
左前身頃ＦＬおよび右前身頃ＦＲは、図４に示すように、一対の身頃であり左右対称形状に裁断される。また、左前身頃ＦＬ、右前身頃ＦＲおよび後身頃Ｂは主として布帛（伸びない織物生地）から製作される。
【００２３】
左前身頃ＦＬは、後に左前立てＭＬの端縁Ｍ１−Ｍ６に縫着されて前開き部を構成する端縁１−６と、同じく左前立てＭＬの端縁Ｍ１−Ｍ２に縫着されて襟ぐりの一部を構成する曲線片たる端縁１−２と、後に後身頃Ｂに縫着されて肩線を構成する端縁２−３と、後に左袖ＳＬに縫着されて袖ぐりの一部を構成する曲線片たる端縁３−４と、後に後身頃Ｂに縫着されて脇縫い目線を構成する端縁４−５と、後に衣服Ｓの裾の一部を構成する下端縁５−６とからなる。
【００２４】
右前身頃ＦＲは、上記の左前身頃ＦＬの説明が大略妥当するので、同一符号にダッシュ（’）を付して説明する。右前身頃ＦＲは、後に右前立てＭＲの端縁Ｍ１’−Ｍ６’に縫着されて前開き部を構成する端縁１’−６’と、同じく左前立てＭＲの端縁Ｍ１’−Ｍ２’に縫着されて襟ぐりの一部を構成する曲線片たる端縁１’−２’と、後に後身頃Ｂに縫着されて肩線を構成する端縁２’−３’と、後に右袖ＳＲに縫着されて袖ぐりの一部を構成する曲線片たる端縁３’−４’と、後に後身頃Ｂに縫着されて脇縫い目線を構成する端縁４’−５’と、後に衣服Ｓの裾の一部を構成する下端縁５’−６’とからなる。
【００２５】
後身頃Ｂは、後に後首当てＮＢの端縁Ｎ１６−Ｎ１７に縫着されて、襟ぐりの一部を構成する曲線片たる端縁１６−１７と、後に左前身頃ＦＬに縫着されて肩線を構成する端縁１６−１５と、後に左袖ＳＬと縫着されて袖ぐりの一部を構成する曲線片たる端縁１５−１４と、後に左前身頃ＦＬに縫着されて脇縫い目線を構成する端縁１４−１３と、後に右前身頃ＦＲに縫着されて肩線を構成する端縁１７−１０と、後に右袖ＳＲに縫着されて袖ぐりの一部を構成する曲線片たる端縁１０−１１と、後に右前身頃ＦＲに縫着されて脇縫い目線を構成する端縁１１−１２と、後に衣服Ｓの裾の一部（背面の裾）を構成する下端縁１２−１３とからなる。
【００２６】
図５は左袖ＳＬおよび右袖ＳＲの裁断形状を表側から見た平面図である。尚、平面図において外形線の内側に外形線と同形状の内側線が画されているが、これは理解の便宜のため縫い代あるいは折り代を表した線であり、実際の生地片に線があるわけではない。
【００２７】
左袖ＳＬは、図５に示すように、袖の前半分（着用者にとっての前方を意味する）を構成する左前袖ＳＬＦと、袖の後半分を構成する左後袖ＳＬＢと、袖口を構成する左袖口ＳＬＭとからなる。
【００２８】
左前袖ＳＬＦは、後に左前身頃ＦＬに縫着されて袖ぐりの一部を構成する曲線片たる端縁Ｓ２−Ｓ１と、後に左後袖ＳＬＢの端縁Ｓ３−Ｓ４に縫着され、左袖ＳＬの縫合線を構成する端縁Ｓ１−Ｓ７と、左袖口ＳＬＭに連続する線分Ｓ７−Ｓ８と、左後袖ＳＬＢに連続する線分Ｓ８−Ｓ２とで画された部位からなる。
【００２９】
また、左後袖ＳＬＢは、後に後身頃Ｂに縫着されて袖ぐりの一部を構成する曲線片たる端縁Ｓ２−Ｓ３と、後に左前袖ＳＬＦの端縁Ｓ１−Ｓ７に縫着され、左袖ＳＬの縫合線を構成する端縁Ｓ３−Ｓ４と、左袖口ＳＬＭに連続する線分Ｓ４−Ｓ８と、左前袖ＳＬＦに連続する線分Ｓ８−Ｓ２とで画された部位からなる。
【００３０】
左袖口ＳＬＭは、後に折り返されて左前袖ＳＬＦと左後袖ＳＬＢに連続する端縁Ｓ５−Ｓ６と、後に左袖口ＳＬＭの縫合線を構成する端縁Ｓ７−Ｓ６およびＳ４−Ｓ５と、左袖口ＳＬＭの先端部（手が出る側の端部）を構成する端縁Ｓ４−Ｓ７とで画された部位からなる。
【００３１】
また、左袖口ＳＬＭには、左袖口ＳＬＭを内側に折り返す前の状態で２箇所、より具体的には、左袖口ＳＬＭの、左前袖ＳＬＦ側の縫合線（Ｓ７−Ｓ６）から周方向に所定距離（例えば１ｃｍ）離れた位置に左前袖側ゴム穴ＳＬＦＨが穿設され、左袖口ＳＬＭの、左後袖ＳＬＢ側の縫合線（Ｓ４−Ｓ５）から周方向に所定距離（例えば１０ｃｍ）離れた位置に左後袖側ゴム穴ＳＬＢＨが穿設される。また、左前袖側ゴム穴ＳＬＦＨと左後袖側ゴム穴ＳＬＢＨの周りには穴かがり縫いが施される。
【００３２】
尚、左袖口ＳＬＭには、端縁Ｓ５−Ｓ６が端縁Ｓ４−Ｓ７で折り返され、ステッチＳＴ２が施されて後述する挿通部Ｃの環状空間が形成される（図３参照）。その後、左前袖ＳＬＦの端縁Ｓ１−Ｓ７と左後袖ＳＬＢの端縁Ｓ３−Ｓ４が縫い合わされて縫合線に沿ってステッチＳＴ１が施されると共に、左袖口ＳＬＭの先端部(手の出る側の端部)が形成される。
【００３３】
右袖ＳＲは、上記の左袖ＳＬの説明が大略妥当するので、同一符号にダッシュ（’）を付して説明する。右袖ＳＲは、袖の前半分を構成する右前袖ＳＲＦと、袖の後半分を構成する左後袖ＳＲＢと、袖口を構成する左袖口ＳＲＭとからなる。
【００３４】
右前袖ＳＲＦは、後に右前身頃ＦＲに縫着されて袖ぐりの一部を構成する曲線片たる端縁Ｓ２’−Ｓ１’と、後に右後袖ＳＲＢの端縁Ｓ３’−Ｓ４’に縫着され、右袖ＳＲの縫合線を構成する端縁Ｓ１’−Ｓ７’と、右袖口ＳＲＭに連続する線分Ｓ７’−Ｓ８’と、右後袖ＳＲＢに連続する線分Ｓ８’−Ｓ２’とで画された部位からなる。
【００３５】
また、右後袖ＳＲＢは、後に後身頃Ｂに縫着されて袖ぐりの一部を構成する曲線片たる端縁Ｓ２’−Ｓ３’と、後に右前袖ＳＲＦの端縁Ｓ１’−Ｓ７’に縫着され、右袖ＳＲの縫合線を構成する端縁Ｓ３’−Ｓ４’と、右袖口ＳＲＭに連続する線分Ｓ４’−Ｓ８’と、右前袖ＳＲＦに連続する線分Ｓ８’−Ｓ２’とで画された部位からなる。
【００３６】
右袖口ＳＲＭは、後に折り返されて右前袖ＳＲＦと右後袖ＳＲＢに連続する端縁Ｓ５’−Ｓ６’と、後に右袖口ＳＲＭの縫合線を構成する端縁Ｓ７’−Ｓ６’およびＳ４’−Ｓ５’と、右袖口ＳＲＭの先端部を構成する端縁Ｓ４’−Ｓ７’とで画された部位からなる。
【００３７】
また、右袖口ＳＲＭには、右袖口ＳＲＭを内側に折り返す前の状態で２箇所、より具体的には、右袖口ＳＲＭの、右前袖ＳＲＦ側の縫合線（Ｓ７’−Ｓ６’）から周方向に所定距離（例えば１ｃｍ）離れた位置に右前袖側ゴム穴ＳＲＦＨが穿設され、右袖口ＳＲＭの、右後袖ＳＲＢ側の縫合線（Ｓ４’−Ｓ５’）から周方向に所定距離（例えば１０ｃｍ）離れた位置に右後袖側ゴム穴ＳＲＢＨが穿設される。また、右前袖側ゴム穴ＳＲＦＨと右後袖側ゴム穴ＳＲＢＨの周りには穴かがり縫いが施される。
【００３８】
尚、右袖口ＳＲＭにも、端縁Ｓ５’−Ｓ６’が端縁Ｓ４’−Ｓ７’で折り返され、ステッチＳＴ２が施されて後述する挿通部Ｃの環状空間が形成され、その後、右前袖ＳＲＦの端縁Ｓ１’−Ｓ７’と右後袖ＳＲＢの端縁Ｓ３’−Ｓ４’が縫い合わされて縫合線に沿ってステッチＳＴ１が施されると共に、右袖口ＳＲＭの先端部が形成される。
【００３９】
以上のように構成された左前身頃ＦＬ、右前身頃ＦＲ、後身頃Ｂ、左袖ＳＬおよび右袖ＳＲをそれぞれ縫着することで図１や図２に示す衣服Ｓが完成する。
【００４０】
即ち、左前身頃ＦＬの端縁２−３と後身頃Ｂの端縁１６−１５、左前身頃ＦＬの端縁４−５と後身頃Ｂの端縁１４−１３、右前身頃ＦＲの端縁２’−３’と後身頃Ｂの端縁１７−１０、右前身頃ＦＲの端縁４’−５’と後身頃Ｂの端縁１１−１２、左前身頃ＦＬの端縁３−４と後身頃Ｂの端縁１４−１５に左袖ＳＬの端縁Ｓ１−Ｓ２−Ｓ３、さらに右前身頃ＦＲの端縁３’−４’と後身頃Ｂの端縁１１−１０に右袖ＳＲの端縁Ｓ１’−Ｓ２’−Ｓ３’を、それぞれ重なるように位置させつつ縫着することで衣服Ｓが完成する。
【００４１】
次に、袖口の構造の詳細を、図３に戻って左袖口ＳＬＭを例に説明する。尚、左袖口ＳＬＭと右袖口ＳＲＭはそれぞれ左右対称である点を除いて構造上の差異はないため、左袖口ＳＬＭの説明が右袖口ＳＲＭについても妥当する。従って、右袖口ＳＲＭについての詳細な説明は省略する。
【００４２】
尚、以下では、「左前袖ＳＬＦと左後袖ＳＬＢの縫合線」と記載するときは、左前袖ＳＬＦの端縁Ｓ１−Ｓ７と左後袖ＳＬＢの端縁Ｓ３−Ｓ４との縫合線を意味するが、この縫合線には折り返されて縫合される左袖口ＳＬＭの端部同士の縫合線（端縁Ｓ７−Ｓ６と端縁Ｓ４−Ｓ５の折り代縫合線）も含むことを意味する。また、「右前袖ＳＲＦと右後袖ＳＲＢの縫合線」についても同様であり、「右前袖ＳＲＦと右後袖ＳＲＢの縫合線」とは、折り返されて縫合される右袖口ＳＲＭの端部同士の縫合線（端縁Ｓ７’−Ｓ６’と端縁Ｓ４’−Ｓ５’の折り代縫合線）を含む右前袖ＳＲＦの端縁Ｓ１’−Ｓ７’と右後袖ＳＲＢの端縁Ｓ３’−Ｓ４’との縫合線を意味する
【００４３】
左袖口ＳＬＭには、環状のゴム紐Ｇが挿通される挿通部Ｃと、挿通されたゴム紐Ｇの一部を露出させるために穿設された左前袖側ゴム穴ＳＬＦＨと左後袖側ゴム穴ＳＬＢＨが、その内周に設けられる。
【００４４】
挿通部Ｃは、左袖口ＳＬＭの端縁Ｓ５−Ｓ６を内側に折り返して縫い付けることによって形成される環状空間である。具体的には、左袖口ＳＬＭの端縁Ｓ５−Ｓ６が後に左袖口ＳＬＭの先端部を構成する端縁Ｓ４−Ｓ７で内側に折り返されて縫い付けられることにより、左袖口ＳＬＭの折り返し位置からステッチＳＴ２までの高さ（幅）を有し、左袖口ＳＬＭの内周に沿った環状空間が形成され、これがゴム紐Ｇを挿通するための挿通部Ｃとなる。
【００４５】
図６はゴム紐Ｇの切断状態を示す説明図である。
【００４６】
ゴム紐Ｇは、少なくとも挿通部Ｃに収まる程度の所定幅を有する細長の紐状体であり、その全長、即ち、図６においてゴム紐Ｇの左端縁ＧＬＨから右端縁ＧＲＨまでの長さは、左袖口ＳＬＭや右袖口ＳＲＭの袖口周りの長さよりも短くなるように設定される。具体的には、着用者が男性の場合、例えば袖口周りが約３２ｃｍ（仕上がり時）のとき、ゴム紐Ｇは約２７ｃｍ（仕上がり時）に設定される。また、ゴム紐Ｇの幅や伸長応力（伸び縮みのパワーの違い）は、男性、女性または子供の各サイズの違いにより適宜選定され、それぞれ適正値に設定される。
【００４７】
図３の説明に戻ると、ゴム紐Ｇは、一方のゴム穴（左前袖側ゴム穴ＳＬＦＨまたは左後袖側ゴム穴ＳＬＢＨ）から挿通部Ｃに挿通され、他方のゴム穴から取り出された後、端部同士（左端縁ＧＬＨと右端縁ＧＲＨ）が縫着されて環状のゴム紐Ｇとなるが、上記の通り、ゴム紐Ｇは全長が左袖口ＳＬＭの袖口周りの長さよりも短く設定されるため、ゴム穴（左前袖側ゴム穴ＳＬＦＨおよび左後袖側ゴム穴ＳＬＢＨ）から露出した部分は、左袖口ＳＬＭの内周の一部を跨ぐようにブリッジ状に露出する。
【００４８】
換言すると、ゴム紐Ｇの殆どは挿通部Ｃ内に左袖口ＳＬＭの内周にそって円弧状に保持されるが、ゴム紐Ｇの一部は左前袖側ゴム穴ＳＬＦＨと左後袖側ゴム穴ＳＬＢＨとの間でブリッジ状（直線状）に露出される。
【００４９】
ゴム紐Ｇの露出する位置についてさらに詳しく説明すると、ゴム紐Ｇの露出部分は着用者が左袖口ＳＬＭをまくり上げたときに、着用者の肘頭（この実施例では左手の肘頭）に係止される位置にくるように設定される。
【００５０】
ここで、着用者の肘頭に係止される位置とは、ゴム紐Ｇの露出部分の一端が、左袖口ＳＬＭの内周上であって左前袖ＳＬＦと左後袖ＳＬＢの縫合線（端縁Ｓ１−Ｓ７と端縁Ｓ３−Ｓ４の縫合線、より詳しくは端縁Ｓ７−Ｓ６と端縁Ｓ４−Ｓ５の縫合線）の近傍に穿設された左前袖側ゴム穴ＳＬＦＨに位置し、ゴム紐Ｇの露出部分の他端が、左後袖ＳＬＢ側に位置する左袖口ＳＬＭの内周上に穿設された左後袖側ゴム穴ＳＬＢＨの位置にあることを意味する。
【００５１】
尚、この実施例では上記の通り、左前袖側ゴム穴ＳＬＦＨは左前袖ＳＬＦと左後袖ＳＬＢの縫合線から周方向に約１ｃｍ離れた位置に穿設され、左後袖側ゴム穴ＳＬＢＨは左前袖ＳＬＦと左後袖ＳＬＢとの縫合線から周方向に約１０ｃｍ離れた位置に穿設される（図５参照）。
【００５２】
図１から図３に示すように、衣服Ｓが完成した状態では、左前袖ＳＬＦと左後袖ＳＬＢの縫合線は左前身頃ＦＬの端縁４−５と後身頃Ｂの端縁１４−１３との縫合線である左脇縫い目線と対向する位置、即ち、着用者の左側の脇の下から脇腹の方向に向いて位置する。
【００５３】
従って、左前袖ＳＬＦと左後袖ＳＬＢの縫合線近傍に穿設された左前袖側ゴム穴ＳＬＦＨから左後袖ＳＬＢ側に位置し、左袖口ＳＬＭの内周上に穿設された左後袖側ゴム穴ＳＬＢＨの間に架け渡されるゴム紐Ｇの露出部分は、着用者から見て左袖口ＳＬＭ内の後ろ側、詳しくは左袖ＳＬに腕を挿入したときに、ゴム紐Ｇの露出部分が左袖口ＳＬＭ内においてほぼ背面の肘側に位置し、左袖口ＳＬＭをまくり上げたときに、ちょうど着用者の肘頭に係止されるような位置にくるように構成される。
【００５４】
このように、ゴム紐Ｇの露出部分は、左袖口ＳＬＭをまくり上げたときに、着用者の肘頭に係止されるので、まくり上げた袖口が容易にずり落ちてしまうこともなく、また、左袖口ＳＬＭをまくり上げた状態では、ゴム紐Ｇが肘頭にソフトに引っかかっている状態のため左袖口ＳＬＭを下ろすのも容易である。
【００５５】
ところで、左袖口ＳＬＭの袖口周りの長さよりも短いゴム紐Ｇを袖口周りに取り付けると、ゴムの締め付けにより、袖口（正確には、左袖口ＳＬＭの周方向と垂直方向）に複数のギャザーが発生することになるが、この実施例に係る衣服Ｓでは、ゴム紐Ｇの一部が左袖口ＳＬＭの内周の一部を跨ぐように架け渡されるため、袖口はゴム紐Ｇによって締め付けられない。このため、袖口にはゴム紐Ｇの締め付けによるギャザーは基本的には発生しない。
【００５６】
しかしながら、まったくギャザーが発生しないかといえば必ずしもそうではなく、状況によっては袖口の一部に僅かにギャザーが発生することも考えられる。そこで、この実施例に係る衣服Ｓでは、ゴム紐Ｇを挿通部Ｃに可動自在に挿通するようにした。即ち、挿通されたゴム紐Ｇが挿通部Ｃ内において周方向に可動することができるようにした。これにより、ゴム紐Ｇの締め付けによる袖口のギャザーがより一層発生しにくくなる。
【００５７】
また、ゴム紐Ｇの露出部分の露出度（ゴム紐Ｇが袖口内においてどの程度露出しているか）は、露出部分が左袖口ＳＬＭから手を出し入れする際の邪魔になったり、着用者が袖を下ろしている通常の状態において腕（手首付近）に多く当たるなどして着用者に違和感や着心地の悪さを生じさせることがないように考慮されて設定される。
【００５８】
この実施例では、例えば男性の標準サイズ（Ｍサイズ）体格の肘周り約３０ｃｍに対して、約１．１１倍伸長応力対応の２７ｃｍの環状のゴム紐Ｇを使用するようにしているが、この程度の寸法設定であればゴム紐Ｇの露出部分は左袖口ＳＬＭの袖口周りの一部を跨ぐのみで着用者に違和感を与えることもない。
【００５９】
図３−２は、図３−１に示す左袖口ＳＬＭを裏返して見た斜視図である。
【００６０】
図３−２からも明らかなように、左袖口ＳＬＭの袖口周りの長さがゴム紐Ｇの全長よりも長くなるため、左袖口ＳＬＭを裏返すと、ゴム紐Ｇの露出した部分に対向する袖口部分の布地はだぶり、図面下方に垂れ下がったような状態となる。具体的には、左袖口ＳＬＭの袖口周りの長さ約３２ｃｍに対して環状のゴム紐Ｇの長さが約２７ｃｍであることによる５ｃｍの差がだぶり分であり、換言すれば、このだぶり分によって図３−１で示すゴム紐Ｇの露出部分が左袖口ＳＬＭの袖口周りの内側でブリッジ状に露出されることになるため、着用者には違和感を与えない一方、まくり上げた袖口が着用者の肘位置において効果的に肘頭に係止される構造となる。
【００６１】
以上のように、第１実施例に係る衣服Ｓにあっては、着用者から見て袖の前半分を構成する前袖（左前袖ＳＬＦ、右前袖ＳＲＦ）と、後半分を構成する後袖（左後袖ＳＬＢ、右後袖ＳＲＢ）と、袖口（左袖口ＳＬＭ、右袖口ＳＲＭ）とからなる袖部（左袖ＳＬ、右袖ＳＲ）を備えた衣服Ｓにおいて、前記袖口の内周上において前記前袖と前記後袖の縫合線（端縁Ｓ１−Ｓ７と端縁Ｓ３−Ｓ４との縫合線、端縁Ｓ１’−Ｓ７’と端縁Ｓ３’−Ｓ４’との縫合線）上あるいはその近傍の第１の点（左前袖側ゴム穴ＳＬＦＨ、右前袖側ゴム穴ＳＲＦＨ等）にゴム紐Ｇの一端を位置させると共に、前記後袖側に位置する前記袖口の内周上の第２の点（左後袖側ゴム穴ＳＬＢＨ、右後袖側ゴム穴ＳＲＢＨ）に前記ゴム紐の他端を位置させるように構成したので、ゴム紐Ｇの露出部分は袖口をまくり上げたときに、着用者の肘頭に係止され、まくり上げた袖口が容易にずり落ちてしまうことがない。また、袖口をまくり上げた状態では、ゴム紐Ｇが肘頭にソフトに引っかかっている状態のため袖口を下ろすのも容易である。即ち、袖口の内周にゴム紐Ｇを取り付けるシンプルな構造でありながら、袖口の上げ下げが容易に行え、子供から老人まで簡単に素早く袖の上げ下ろしができるようになる。
【００６２】
また、袖口の内周にゴム紐Ｇが取り付けられているにもかかわらず、外観上はゴム紐Ｇの存在感は表れず、袖口は絞られなくなって特にメンズ等に不似合いなギャザーが発生することもない。このため、従来の衣服（シャツ）と同じようにフラットな袖口シルエットとなり、デザイン性が損なわれることもない。換言すると、袖口にゴム紐Ｇを取り付けても袖口の形態が変形しない構造にすることができ、外観上の違和感を生じさせることはない。
【００６３】
また、ゴム紐Ｇが環状を呈すると共に、ゴム紐Ｇが挿通可能な挿通部Ｃを袖口の内周に設け、第１の点から第２の点までの間で挿通されたゴム紐Ｇの一部を露出させるように構成したので、挿通部Ｃによってゴム紐Ｇを袖口の内周にしっかり保持できる一方、第１の点から第２の点までの間でゴム紐Ｇの一部を露出させることができる。また、ゴム紐Ｇは一部が露出されつつ挿通部Ｃに挿通されるので、ゴム紐Ｇの締め付けによる袖口のギャザーが一層発生しにくくなる。
【００６４】
また、挿通部Ｃは、袖口の先端（左袖口ＳＬＭの端縁Ｓ５−Ｓ６、右袖口ＳＲＭの端縁Ｓ５’−Ｓ６’）を内側に折り返して縫着させた環状空間からなるように構成したので、袖口の生地を利用して挿通部Ｃを構成することができる。
【実施例２】
【００６５】
次いで、この発明の第２実施例に係る衣服について説明する。
【００６６】
図７はこの発明の第２実施例に係る衣服の袖口を正面やや上方から見た斜視図および袖口を裏返して見た斜視図である。また、図８は図７に示す袖口を有する袖の裁断形状を表側から見た平面図である。
【００６７】
第２実施例については、第１実施例と相違する部分に焦点をおいて説明し、第１実施例と共通する部分については同一の符号を付して説明を省略する。
【００６８】
第１実施例では、ゴム紐Ｇの露出部分の一端が、左袖口ＳＬＭの内周上であって左前袖ＳＬＦと左後袖ＳＬＢの縫合線の近傍、より具体的には、左前袖ＳＬＦと左後袖ＳＬＢの縫合線から周方向に約１ｃｍ離れた位置に穿設された左前袖側ゴム穴ＳＬＦＨに位置するように構成されていた。しかし第２実施例では、図７−１および図７−２に示すように、ゴム紐Ｇの露出部分の一端が、左前袖ＳＬＦと左後袖ＳＬＢの縫合線上に縫着されることを特徴とする。
【００６９】
即ち、ゴム紐Ｇの左端縁ＧＬＨと右端縁ＧＲＨが、ちょうど左前袖ＳＬＦと左後袖ＳＬＢの縫合線上で左前袖ＳＬＦと左後袖ＳＬＢを縫合する際に一緒に縫い付けられる。具体的には、袖口周りが標準Ｍサイズの３２ｃｍであるときに、２９ｃｍの裁ち切りゴム紐Ｇを挿通部Ｃに挿通し、左前袖ＳＬＦと左後袖ＳＬＢの縫合線上において互いに縫い代１ｃｍで縫着して２７ｃｍのゴム紐Ｇに仕上げる。
【００７０】
従って、第２実施例では、図８に示すように、左袖口ＳＬＭおよび右袖口ＳＲＭの内周上に穿設されるゴム穴はそれぞれ左後袖側ゴム穴ＳＬＢＨと右後袖側ゴム穴ＳＲＢＨの１つとなる。左袖ＳＬを例に説明すると、左後袖側ゴム穴ＳＬＢＨは左後袖ＳＬＢ側であって左前袖ＳＬＦと左後袖ＳＬＢとの縫着部（Ｓ４−Ｓ５）から周方向に約１０ｃｍ離れた位置に穿設される。
【００７１】
このように、第２実施例に係る衣服にあっては、ゴム紐Ｇの一端を第１の点（端縁Ｓ１−Ｓ７と端縁Ｓ３−Ｓ４との縫合線または端縁Ｓ１’−Ｓ７’と端縁Ｓ３’−Ｓ４’との縫合線のうち、特に端縁Ｓ７−Ｓ６と端縁Ｓ４−Ｓ５の縫合線上または端縁Ｓ７’−Ｓ６’と端縁Ｓ４’−Ｓ５’の縫合線上）で袖口の内周に縫着させるように構成したので、ゴム紐Ｇの露出部分の一端を縫合線上に縫着することによりゴム紐Ｇが周方向に可動しなくなる分、第１実施例に係る衣服Ｓの袖口に比べて多少ギャザーが発生する可能性が高まるが、袖口にもう１つのゴム穴を穿設する必要がないなど、袖口を加工したり縫製する工程が削減される、という効果を有する。
【００７２】
尚、残余の構成および効果は第１実施例と同様であるので、説明を省略する。
【００７３】
以上のように、この発明の第１実施例および第２実施例にあっては、着用者から見て袖の前半分を構成する前袖（左前袖ＳＬＦ、右前袖ＳＲＦ）と、後半分を構成する後袖（左後袖ＳＬＢ、右後袖ＳＲＢ）と、袖口（左袖口ＳＬＭ、右袖口ＳＲＭ）とからなる袖部（左袖ＳＬ、右袖ＳＲ）を備えた衣服Ｓにおいて、前記袖口の内周上において前記前袖と前記後袖の縫合線（端縁Ｓ１−Ｓ７と端縁Ｓ３−Ｓ４との縫合線、端縁Ｓ１’−Ｓ７’と端縁Ｓ３’−Ｓ４’との縫合線）上あるいはその近傍の第１の点（左前袖側ゴム穴ＳＬＦＨ、右前袖側ゴム穴ＳＲＦＨ等）にゴム紐Ｇの一端を位置させると共に、前記後袖側に位置する前記袖口の内周上の第２の点（左後袖側ゴム穴ＳＬＢＨ、右後袖側ゴム穴ＳＲＢＨ）に前記ゴム紐の他端を位置させるように構成した。
【００７４】
また、前記ゴム紐が環状を呈すると共に、前記ゴム紐が挿通可能な挿通部Ｃを前記袖口の内周に設け、前記第１の点から第２の点までの間で前記挿通された前記ゴム紐の一部を露出させるように構成した。
【００７５】
また、前記挿通部は、前記袖口の先端（左袖口ＳＬＭの端縁Ｓ５−Ｓ６、右袖口ＳＲＭの端縁Ｓ５’−Ｓ６’）を内側に折り返して縫着させた環状空間からなるように構成した。
【００７６】
また、この発明の第２実施例にあっては、前記ゴム紐の一端を前記第１の点（端縁Ｓ７−Ｓ６と端縁Ｓ４−Ｓ５の縫合線上、端縁Ｓ７’−Ｓ６’と端縁Ｓ４’−Ｓ５’の縫合線上）で前記袖口の内周に縫着させるように構成した。
【００７７】
尚、第１、第２実施例では、環状のゴム紐Ｇが挿通部Ｃに挿通されると共に、挿通されたゴム紐Ｇの一部が左前袖側ゴム穴ＳＬＦＨと左後袖側ゴム穴ＳＬＢＨの間または右前袖側ゴム穴ＳＲＦＨと右後袖側ゴム穴ＳＲＢＨの間で露出されるように構成したが、ゴム紐Ｇは必ずしも環状でなくても良い。
【００７８】
即ち、ゴム紐Ｇは左前袖側ゴム穴ＳＬＦＨ等（第１の点）と左後袖側ゴム穴ＳＬＢＨ等（第２の点）を跨ぐようにブリッジ状に架け渡されていれば良いため、例えば左前袖側ゴム穴ＳＬＦＨ等と左後袖側ゴム穴ＳＬＢＨ等を結ぶだけの直線状のゴム紐Ｇであっても良い。従って、ゴム紐Ｇを左前袖側ゴム穴ＳＬＦＨ等（第１の点）と左後袖側ゴム穴ＳＬＢＨ等（第２の点）との間でブリッジ状に架け渡すことができるのであれば、ゴム紐Ｇは必ずしも環状である必要はない。
【００７９】
また、第１、第２実施例では、一部を除いてゴム紐Ｇを挿通部Ｃに挿通させるようにしたが、これに限定されるものではなく、例えば挿通部Ｃを設けずに、一部を除いてゴム紐Ｇを直接袖口の内周に縫着または接着するようにしても良い。
【００８０】
また、第１、第２実施例では、袖口の先端を折り返して縫い付けることで、挿通部Ｃの環状空間を形成するようにしているが、例えば折り返すのではなく、袖口の内周面に別の生地を上（内側）あるいは外周面に上（外側）から縫い付けて環状空間を形成したり、細長の袋状のものを袖口の内周面に取り付けて環状空間を形成するようにしても良い。尚、袖口に別の生地や袋状のものを取り付ける場合には、第１、第２実施例で示したように、生地のいずれかの位置にゴム穴を穿設するようにしても良いが、これ以外に、例えば生地や袋状のものの両端部は縫着せずに開口させ、この開口部をゴム穴としても良い。
【００８１】
また、衣服Ｓは男性用衣服を示したが、これは例示であって女性用衣服であっても良い。女性用衣服の場合には左前立てＭＬに釦が取り付けられ、右前立てＭＲに釦穴が穿設される。
【００８２】
また、衣服Ｓは前開きのものを示したが、もちろん前空きのない衣服であっても良い。
【００８３】
また、袖口周りの長さ、ゴム紐Ｇの長さまたはゴム穴の位置などを具体的に示したが、それらは例示であって、この寸法または位置に限定されるものではない。
【００８４】
また、前身頃などの素材を具体的に示したが、それらは例示であって限定されるものではない。
【符号の説明】
【００８５】
Ｓ  衣服、ＦＬ  左前身頃、ＦＲ  右前身頃、Ｂ  後身頃、ＳＬ  左袖、ＳＲ  右袖、ＳＬＭ  左袖口、ＳＲＭ  右袖口、ＳＬＦ  左前袖、ＳＬＢ  左後袖、ＳＲＦ  右前袖、ＳＲＢ  右後袖、ＳＬＦＨ  左前袖側ゴム穴、ＳＬＢＨ  左後袖側ゴム穴、ＳＲＦＨ  右前袖側ゴム穴、ＳＲＢＨ  右後袖側ゴム穴、Ｃ  挿通部、Ｇ  ゴム紐
【図１】
2013189721.tif 000003
【図２】
2013189721.tif 000004
【図３】
2013189721.tif 000005
【図４】
2013189721.tif 000006
【図５】
2013189721.tif 000007
【図６】
2013189721.tif 000008
【図７】
2013189721.tif 000009
【図８】
2013189721.tif 000010
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
着用者から見て袖の前半分を構成する前袖と、後半分を構成する後袖と、袖口とからなる袖部を備えた衣服において、前記袖口の内周上において前記前袖と前記後袖の縫合線上あるいはその近傍の第１の点にゴム紐の一端を位置させ、前記後袖側に位置する前記袖口の内周上の第２の点に前記ゴム紐の他端を位置させると共に、前記ゴム紐は、前記第１の点から第２の点にかけて前記袖口の内周を跨ぐようにブリッジ状に取り付けられることを特徴とする衣服。
【請求項２】
前記ゴム紐が環状を呈すると共に、前記ゴム紐が挿通可能な挿通部を前記袖口の内周に設け、前記第１の点から第２の点までの間で前記挿通された前記ゴム紐の一部を露出させたことを特徴とする請求項１記載の衣服。
【請求項３】
前記挿通部は、前記袖口の先端を内側に折り返して縫着させた環状空間からなることを特徴とする請求項２記載の衣服。
【請求項４】
前記ゴム紐の一端を前記第１の点で前記袖口の内周に縫着させたことを特徴とする請求項１から３のいずれかに記載の衣服。
【手続補正２】
【補正対象書類名】明細書
【補正対象項目名】０００７
【補正方法】変更
【補正の内容】
【０００７】
上記の目的を達成するために請求項１にあっては、着用者から見て袖の前半分を構成する前袖と、後半分を構成する後袖と、袖口とからなる袖部を備えた衣服において、前記袖口の内周上において前記前袖と前記後袖の縫合線上あるいはその近傍の第１の点にゴム紐の一端を位置させ、前記後袖側に位置する前記袖口の内周上の第２の点に前記ゴム紐の他端を位置させると共に、前記ゴム紐は、前記第１の点から第２の点にかけて前記袖口の内周を跨ぐようにブリッジ状に取り付けられるように構成した。
【手続補正３】
【補正対象書類名】明細書
【補正対象項目名】００１１
【補正方法】変更
【補正の内容】
【００１１】
請求項１に係る衣服にあっては、袖口の内周上において前袖と後袖の縫合線上あるいはその近傍の第１の点にゴム紐の一端を位置させ、後袖側に位置する袖口の内周上の第２の点にゴム紐の他端を位置させると共に、ゴム紐は、第１の点から第２の点にかけて袖口の内周を跨ぐようにブリッジ状に取り付けられるように構成したので、袖口をまくり上げたときに、ゴム紐が着用者の肘頭に係止されて袖口が簡単にずり落ちてしまうことがない。また、袖口を下ろすときはゴム紐を肘頭から外して下ろせば良いため、袖口の上げ下げが簡単に行える。さらに、ゴム紐は袖口全体を絞り込んではいないので袖口にギャザー（しわ）などが発生せず、袖口の形態が変形することもない。
【手続補正４】
【補正対象書類名】明細書
【補正対象項目名】００６１
【補正方法】変更
【補正の内容】
【００６１】
以上のように、第１実施例に係る衣服Ｓにあっては、着用者から見て袖の前半分を構成する前袖（左前袖ＳＬＦ、右前袖ＳＲＦ）と、後半分を構成する後袖（左後袖ＳＬＢ、右後袖ＳＲＢ）と、袖口（左袖口ＳＬＭ、右袖口ＳＲＭ）とからなる袖部（左袖ＳＬ、右袖ＳＲ）を備えた衣服Ｓにおいて、前記袖口の内周上において前記前袖と前記後袖の縫合線（端縁Ｓ１−Ｓ７と端縁Ｓ３−Ｓ４との縫合線、端縁Ｓ１’−Ｓ７’と端縁Ｓ３’−Ｓ４’との縫合線）上あるいはその近傍の第１の点（左前袖側ゴム穴ＳＬＦＨ、右前袖側ゴム穴ＳＲＦＨ等）にゴム紐Ｇの一端を位置させ、前記後袖側に位置する前記袖口の内周上の第２の点（左後袖側ゴム穴ＳＬＢＨ、右後袖側ゴム穴ＳＲＢＨ）に前記ゴム紐の他端を位置させると共に、前記ゴム紐は、前記第１の点から第２の点にかけて前記袖口の内周を跨ぐようにブリッジ状に取り付けられるように構成したので、ゴム紐Ｇの露出部分は袖口をまくり上げたときに、着用者の肘頭に係止され、まくり上げた袖口が容易にずり落ちてしまうことがない。また、袖口をまくり上げた状態では、ゴム紐Ｇが肘頭にソフトに引っかかっている状態のため袖口を下ろすのも容易である。即ち、袖口の内周にゴム紐Ｇを取り付けるシンプルな構造でありながら、袖口の上げ下げが容易に行え、子供から老人まで簡単に素早く袖の上げ下ろしができるようになる。
【手続補正５】
【補正対象書類名】明細書
【補正対象項目名】００７３
【補正方法】変更
【補正の内容】
【００７３】
以上のように、この発明の第１実施例および第２実施例にあっては、着用者から見て袖の前半分を構成する前袖（左前袖ＳＬＦ、右前袖ＳＲＦ）と、後半分を構成する後袖（左後袖ＳＬＢ、右後袖ＳＲＢ）と、袖口（左袖口ＳＬＭ、右袖口ＳＲＭ）とからなる袖部（左袖ＳＬ、右袖ＳＲ）を備えた衣服Ｓにおいて、前記袖口の内周上において前記前袖と前記後袖の縫合線（端縁Ｓ１−Ｓ７と端縁Ｓ３−Ｓ４との縫合線、端縁Ｓ１’−Ｓ７’と端縁Ｓ３’−Ｓ４’との縫合線）上あるいはその近傍の第１の点（左前袖側ゴム穴ＳＬＦＨ、右前袖側ゴム穴ＳＲＦＨ等）にゴム紐Ｇの一端を位置させ、前記後袖側に位置する前記袖口の内周上の第２の点（左後袖側ゴム穴ＳＬＢＨ、右後袖側ゴム穴ＳＲＢＨ）に前記ゴム紐の他端を位置させると共に、前記ゴム紐は、前記第１の点から第２の点にかけて前記袖口の内周を跨ぐようにブリッジ状に取り付けられるように構成した。